(57)【要約】  本発明は、無線通信システムでシステムがマルチメディア放送サービス（Ｍｕｌｔｉｍｅｄｉａ  Ｂｒｏａｄｃａｓｔ／Ｍｕｌｔｉｃａｓｔ  Ｓｅｒｖｉｃｅ、ＭＢＭＳ）を提供する場合、端末がこれを受信する方法及び装置に提供すること。  連結モードでＭＢＭＳの時間情報を含むユーザサービス記述（Ｕｓｅｒ  Ｓｅｒｃｉｖｅ  Ｄｅｓｃｒｉｐｔｉｏｎ、以下、ＵＳＤ）情報を受信する段階と、時間情報に基づいて受信しようとするＭＢＭＳセッションを開始するか否かを判定する段階と、及びＭＢＭＳセッションが開始されたと判定する場合、ＭＢＭＳセッションを受信する段階と、を含むことを特徴とする。本発明によれば、端末は望む時点にＭＢＭＳサービスを受信することができ、よりスムーズにＭＢＭＳサービスを受けることができる。
2014524704.tif 000002
【特許請求の範囲】
【請求項１】
無線通信システムでマルチメディア放送サービス（Ｍｕｌｔｉｍｅｄｉａ  Ｂｒｏａｄｃａｓｔ／Ｍｕｌｔｉｃａｓｔ  Ｓｅｒｖｉｃｅ、以下、ＭＢＭＳ）受信方法であって、
連結モードで前記ＭＢＭＳの時間情報を含むユーザサービス記述（Ｕｓｅｒ  Ｓｅｒｃｉｖｅ  Ｄｅｓｃｒｉｐｔｉｏｎ、以下、ＵＳＤ）情報を受信する段階と、
前記時間情報に基づいて受信しようとするＭＢＭＳセッションを開始するか否かを判定する段階と、及び
前記ＭＢＭＳセッションが開始されたと判定する場合、前記ＭＢＭＳセッションを受信する段階を含むことを特徴とする受信方法。
【請求項２】
前記ＵＳＤ情報は周波数情報をさらに含み、
前記ＭＢＭＳセッションを受信する段階は、
前記ＭＢＭＳセッションの周波数情報に基づいて前記ＭＢＭＳセッションを受信することを特徴とする、請求項１に記載の受信方法。
【請求項３】
前記ＭＢＭＳセッションを受信する段階は、
前記ＭＢＭＳセッションを受信するか否かを判定する段階と、
前記ＭＢＭＳセッションが受信されない場合、前記ＭＢＭＳセッションの時間情報に基づいて前記ＭＢＭＳセッションが進行中なのか否かを判定する段階と、
前記ＭＢＭＳセッションが進行中の場合、前記ＭＢＭＳセッションの周波数情報に基づいて前記ＭＢＭＳセッションを提供する基地局をセル再選択対象の基地局で選択する段階と、及び
前記ＭＢＭＳセッションをサービスする基地局から前記ＭＢＭＳセッションを受信する段階をさらに含むことを特徴とする、請求項２に記載の受信方法。
【請求項４】
前記ＵＳＤ情報を受信する段階は、
上位階層レイヤを通じて受信することを特徴とする、請求項１に記載の受信方法。
【請求項５】
無線通信システムでマルチメディア放送サービス（Ｍｕｌｔｉｍｅｄｉａ  Ｂｒｏａｄｃａｓｔ／Ｍｕｌｔｉｃａｓｔ  Ｓｅｒｖｉｃｅ、以下  ＭＢＭＳ）受信方法であって、
アイドルモードに進入後、キャンピング基地局を選択する段階；
受信しようとするＭＢＭＳセッションが開始されることを認知する場合、前記ＭＢＭＳの周波数情報を含むユーザサービス記述（Ｕｓｅｒ  Ｓｅｒｃｉｖｅ  Ｄｅｓｃｒｉｐｔｉｏｎ、以下、ＵＳＤ）情報が記憶されているのか否かを判定する段階；
前記ＵＳＤ情報が記憶されている場合、前記周波数情報に基づいてセル再選択（Ｃｅｌｌ  Ｒｅｓｅｌｅｃｔｉｏｎ）を実行する段階；及び
前記再選択したセルから前記ＭＢＭＳセッションを受信する段階を含むことを特徴とする受信方法。
【請求項６】
複数個のキャリアを受信可能な場合、セル再選択を実行する段階は、
前記周波数情報に基づいて前記ＭＢＭＳセッションを提供する基地局の周波数と、それと異なる周波数を共に受信することができるのか否かを判定する段階；及び
共に受信することができると判定する場合、前記ＭＢＭＳセッションを提供する基地局をセル再選択対象の基地局として追加選択する段階を含むことを特徴とする、請求項５に記載の受信方法。
【請求項７】
前記共に受信することができるのか否かを判定する段階で、
共に受信することができないと判定する場合、前記ＭＢＭＳセッションを提供する基地局をセル再選択対象の基地局で選択する段階をさらに含むことを特徴とする、請求項６に記載の受信方法。
【請求項８】
シングルキャリアを受信可能な場合、セル再選択を実行する段階は、
前記ＭＢＭＳセッションをサービスする基地局をセル再選択対象の基地局として選択することを特徴とする、請求項５に記載の受信方法。
【請求項９】
無線通信システムでマルチメディア放送サービス（Ｍｕｌｔｉｍｅｄｉａ  Ｂｒｏａｄｃａｓｔ／Ｍｕｌｔｉｃａｓｔ  Ｓｅｒｖｉｃｅ、以下、ＭＢＭＳ）を受信する端末装置であって、
データを送受信する送受信部；及び
連結モードで前記ＭＢＭＳの時間情報を含むユーザサービス記述（Ｕｓｅｒ  Ｓｅｒｃｉｖｅ  Ｄｅｓｃｒｉｐｔｉｏｎ、以下、ＵＳＤ）情報を受信し、前記時間情報に基づいて受信しようとするＭＢＭＳセッションを開始するか否かを判定し、前記ＭＢＭＳセッションが開始されたと判定する場合、前記ＭＢＭＳセッションを受信するように制御する制御部を含むことを特徴とする端末装置。
【請求項１０】
前記ＵＳＤ情報は周波数情報をさらに含み、
前記制御部は、
前記ＭＢＭＳセッション受信のとき、前記ＭＢＭＳセッションの周波数情報に基づいて前記ＭＢＭＳセッションを受信するように制御することを特徴とする、請求項９に記載の端末装置。
【請求項１１】
前記制御部は、
前記ＭＢＭＳセッション受信のとき、前記ＭＢＭＳセッションを受信するか否かを判定して、前記ＭＢＭＳセッションが受信されない場合、前記ＭＢＭＳセッションの時間情報に基づいて前記ＭＢＭＳセッションが進行中なのか否かを判定し、前記ＭＢＭＳセッションが進行中の場合、前記ＭＢＭＳセッションの周波数情報に基づいて前記ＭＢＭＳセッションを提供する基地局をセル再選択対象の基地局として選択して、前記ＭＢＭＳセッションをサービスする基地局から前記ＭＢＭＳセッションを受信するように制御することを特徴とする、請求項１０に記載の端末装置。
【請求項１２】
前記制御部は、
前記ＵＳＤ情報受信のとき、上位階層レイヤを通じて受信するように制御することを特徴とする、請求項１０に記載の端末装置。
【請求項１３】
無線通信システムでマルチメディア放送サービス（Ｍｕｌｔｉｍｅｄｉａ  Ｂｒｏａｄｃａｓｔ／Ｍｕｌｔｉｃａｓｔ  Ｓｅｒｖｉｃｅ、以下、ＭＢＭＳ）を受信する端末装置であって、
データを送受信する送受信部と、
ユーザサービス記述（Ｕｓｅｒ  Ｓｅｒｃｉｖｅ  Ｄｅｓｃｒｉｐｔｉｏｎ、以下ＵＳＤ）情報を記憶する記憶部と、
アイドルモードに進入後のキャンピング基地局を選択し、受信しようとするＭＢＭＳセッションが開始されると認知する場合、前記記憶部に前記ＭＢＭＳの周波数情報を含むＵＳＤ情報が記憶されているのか否かを判定し、前記ＵＳＤ情報が記憶されている場合、前記周波数情報に基づいてセル再選択（Ｃｅｌｌ  Ｒｅｓｅｌｅｃｔｉｏｎ）を実行し、前記再選択したセルから前記ＭＢＭＳセッションを受信するように制御する制御部と、を含むことを特徴とする端末装置。
【請求項１４】
前記端末装置が複数個のキャリアを受信可能な場合、
前記制御部は、
セル再選択実行のとき、前記周波数情報に基づいて前記ＭＢＭＳセッションを提供する基地局の周波数と、それと異なる周波数を共に受信することができるのか否かを判定し、共に受信することができると判定する場合、前記ＭＢＭＳセッションを提供する基地局をセル再選択対象の基地局として追加選択するように制御することを特徴とする、請求項１３に記載の端末装置。
【請求項１５】
前記制御部は、
前記共に受信することができるのか否かを判定するとき、
共に受信することができないと判定する場合、前記ＭＢＭＳセッションを提供する基地局をセル再選択対象の基地局として選択するように制御することを特徴とする、請求項１４に記載の端末装置。
【発明の詳細な説明】
【技術分野】
【０００１】
本発明は、無線通信システムに関し、より詳しくはＬＴＥ（Ｌｏｎｇ  Ｔｅｒｍ  Ｅｖｏｌｕｔｉｏｎ）システムで提供するマルチメディア放送サービスを（Ｍｕｌｔｉｍｅｄｉａ  Ｂｒｏａｄｃａｓｔ／Ｍｕｌｔｉｃａｓｔ  Ｓｅｒｖｉｃｅ、ＭＢＭＳ）受信する方法及び装置に関する。
【背景技術】
【０００２】
近年、無線通信技術は急激な発展を成した。これに加えられ、通信システム技術も進化を重ねた。このなかで、現在４世代移動通信技術として脚光を浴びるシステムがＬＴＥシステムである。ＬＴＥシステムでは、多様なサービスをサポートしており、放送サービスがその一例である。
【０００３】
ＬＴＥシステムではマルチメディアブロードキャスト／マルチキャストサービス（Ｍｕｌｔｉｍｅｄｉａ  Ｂｒｏａｄｃａｓｔ  Ｍｕｌｔｉｃａｓｔ  Ｓｅｒｖｉｃｅ、以下、ＭＢＭＳと称する）と言う名前で放送サービスをサポートし、ネットワークがＭＢＭＳサービスをする場合に、ＭＢＭＳをサポートする端末は加入情報によって当該サービスを視聴することができる。
【発明の概要】
【発明が解決しようとする課題】
【０００４】
ＭＢＭＳサービス提供のとき、既存ＭＢＭＳサービスプロトコルだけでは特定サービスが進行中であるか否かに対して判定し難いと言う問題点がある。また、ＭＢＭＳサービスを提供する周波数が複数個がある場合、端末がどんな周波数を使用する基地局の信号を受信するのかに対して定義が必要であると言う問題点もある。
【課題を解決するための手段】
【０００５】
本発明は、前記のような問題点を解決するために案出されたもので、１つ以上のアップリンクキャリアを利用してデータを送信することによって無線移動通信システムでＭＢＭＳサービスをする場合、端末がセッションが開始されるか否かを判定する方法及び装置を提供することにその目的がある。
【０００６】
また、本発明はＭＢＭＳサービス受信のとき、移動がある場合、ＭＢＭＳサービスを受けるためには当該放送がなる周波数に留まる方法及び装置を提供することにその目的がある。
【０００７】
前記のような問題点を解決するための本発明の実施形態によれば、無線通信システムでマルチメディア放送サービス（Ｍｕｌｔｉｍｅｄｉａ  Ｂｒｏａｄｃａｓｔ／Ｍｕｌｔｉｃａｓｔ  Ｓｅｒｖｉｃｅ、以下、ＭＢＭＳ）受信方法は、連結モードでＭＢＭＳの時間情報を含むユーザサービス記述（Ｕｓｅｒ  Ｓｅｒｃｉｖｅ  Ｄｅｓｃｒｉｐｔｉｏｎ、以下、ＵＳＤ）情報を受信する段階、時間情報に基づいて受信しようとするＭＢＭＳセッションを開始するか否かを判定する段階及びＭＢＭＳセッションが開始されたと判定する場合、ＭＢＭＳセッションを受信する段階を含むことを特徴とする。
【０００８】
また、本発明の他の実施形態によれば、無線通信システムでマルチメディア放送サービス（Ｍｕｌｔｉｍｅｄｉａ  Ｂｒｏａｄｃａｓｔ／Ｍｕｌｔｉｃａｓｔ  Ｓｅｒｖｉｃｅ、以下、ＭＢＭＳ）受信方法は、アイドルモードに進入後、キャンピング基地局を選択する段階と、受信しようとするＭＢＭＳセッションが開始されると認知する場合、ＭＢＭＳの周波数情報を含むユーザサービス記述（Ｕｓｅｒ  Ｓｅｒｃｉｖｅ  Ｄｅｓｃｒｉｐｔｉｏｎ、以下、ＵＳＤ）情報が記憶されているのか否かを判定する段階、ＵＳＤ情報が記憶されている場合、周波数情報に基づいてセル再選択（Ｃｅｌｌ  Ｒｅｓｅｌｅｃｔｉｏｎ）を実行する段階と、及び再選択したセルからＭＢＭＳセッションを受信する段階を含むことを特徴とする。
【０００９】
また、本発明の他の実施形態によれば、無線通信システムでマルチメディア放送サービス（Ｍｕｌｔｉｍｅｄｉａ  Ｂｒｏａｄｃａｓｔ／Ｍｕｌｔｉｃａｓｔ  Ｓｅｒｖｉｃｅ、以下、ＭＢＭＳ）を受信する端末装置は、データを送受信する送受信部と、及び連結モードでＭＢＭＳの時間情報を含むユーザサービス記述（Ｕｓｅｒ  Ｓｅｒｃｉｖｅ  Ｄｅｓｃｒｉｐｔｉｏｎ、以下、ＵＳＤ）情報を受信し、時間情報に基づいて受信しようとするＭＢＭＳセッションを開始するか否かを判定し、ＭＢＭＳセッションが開始されたと判定する場合、ＭＢＭＳセッションを受信するように制御する制御部と、を含むことを特徴とする。
【００１０】
また、本発明のまた他の実施形態によれば、無線通信システムでマルチメディア放送サービス（Ｍｕｌｔｉｍｅｄｉａ  Ｂｒｏａｄｃａｓｔ／Ｍｕｌｔｉｃａｓｔ  Ｓｅｒｖｉｃｅ、以下  、ＭＢＭＳ）を受信する端末装置は、データを送受信する送受信部、アイドルモードに進入後のキャンピング基地局を選択し、受信しようとするＭＢＭＳセッションが開始されると認知する場合、ＭＢＭＳの周波数情報を含むユーザサービス記述（Ｕｓｅｒ  Ｓｅｒｃｉｖｅ  Ｄｅｓｃｒｉｐｔｉｏｎ、以下、ＵＳＤ）情報が記憶されているのか否かを判定し、ＵＳＤ情報が記憶されている場合、周波数情報に基づいてセル再選択（Ｃｅｌｌ  Ｒｅｓｅｌｅｃｔｉｏｎ）を実行し、再選択したセルからＭＢＭＳセッションを受信するように制御する制御部と、を含むことを特徴とする。
【発明の効果】
【００１１】
本発明によれば、端末は望む時点にＭＢＭＳサービスを受信することができ、よりスムーズにＭＢＭＳサービスを受けることができる。
【図面の簡単な説明】
【００１２】
【図１】本発明の実施形態によるＬＴＥシステムの構造を示した図面である。
【図２】本発明の実施形態によるＬＴＥシステムで無線プロトコル構造を示した図面である。
【図３】本発明の実施形態によるＬＴＥシステムでキャリアアグリゲーションを説明するための図面である。
【図４】本発明の実施形態による端末がＭＢＭＳサービスを受信する方法を示した図面である。
【図５】本発明の実施形態による端末がＭＢＭＳサービスを受信する作動を示すフローチャートである。
【図６】本発明の実施形態によって端末がＭＢＭＳサービスが受信されるために周波数を選択する方法を示した図面である。
【図７】本発明の実施形態によって端末がＭＢＭＳサービスが受信されるために周波数を選択する方法を示した図面である。
【図８】本発明の実施形態による端末がＭＢＭＳサービスが受信されるために周波数を選択する作動を示すフローチャートである。
【図９】本発明の実施形態による端末の内部構成を示すブロック図である。
【図１０】本発明の実施形態による基地局の内部構成を示したブロック図である。
【発明を実施するための形態】
【００１３】
以下、添付された図面を参照して本発明の実施形態を詳細に説明する。
【００１４】
本発明を説明するにあたり関連する公知機能または構成に対する具体的な説明が本発明の要旨を不明瞭にすると判定される場合には、その詳細な説明を省略する。以下、添付された図面を参照して本発明の実施形態を説明する。以下、本発明を説明する前にＬＴＥシステム及びキャリアアグリゲーションに対して簡略に説明する。
【００１５】
図１は、本発明の実施形態によるＬＴＥシステムの構造を示した図面である。
【００１６】
図１を参照すれば、図示したようにＬＴＥシステムの無線アクセスネットワークは次世代基地局（Ｅｖｏｌｖｅｄ  Ｎｏｄｅ  Ｂ、以下、ＥＮＢ、Ｎｏｄｅ  Ｂまたは基地局）（１０５、１１０、１１５、１２０）とＭＭＥ（１２５、Ｍｏｂｉｌｉｔｙ  Ｍａｎａｇｅｍｅｎｔ  Ｅｎｔｉｔｙ）及びＳ−ＧＷ（１３０、Ｓｅｒｖｉｎｇ−Ｇａｔｅｗａｙ）から構成される。ユーザ端末（Ｕｓｅｒ  Ｅｑｕｉｐｍｅｎｔ、以下、  ＵＥまたは端末）（１３５）はＥＮＢ（１０５〜１２０）及びＳ−ＧＷ１３０を通じて外部ネットワークに接続する。
【００１７】
図１でＥＮＢ（１０５〜１２０）は、ＵＭＴＳシステムの既存ノードＢに対応される。ＥＮＢはＵＥ１３５と無線チャンネルで連結されて既存ノードＢより複雑な役目を実行する。ＬＴＥシステムではインターネットプロトコルを通じるＶｏＩＰ（Ｖｏｉｃｅ  ｏｖｅｒ  ＩＰ）のようなリアルタイムサービスを含むあらゆるユーザトラフィックが共用チャンネル（ｓｈａｒｅｄ  ｃｈａｎｎｅｌ）を通じてサービスされるので、ＵＥのバッファー状態、使用可能送信電力状態、チャンネル状態などの状態情報を聚合してスケジューリングをする装置が必要であり、これをＥＮＢ（１０５〜１２０）が担当する。
【００１８】
１つのＥＮＢは通常複数のセルを制御する。１００Ｍｂｐｓの送信速度を具現するためにＬＴＥシステムは、２０ＭＨｚ帯域幅で直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、以下、ＯＦＤＭと言う）を無線接続技術として使用する。また、端末のチャンネル状態に合わせて変調方式（ｍｏｄｕｌａｔｉｏｎ  ｓｃｈｅｍｅ）とチャンネルコーディング率（ｃｈａｎｎｅｌ  ｃｏｄｉｎｇ  ｒａｔｅ）を決定する適応変調コーディング（Ａｄａｐｔｉｖｅ  Ｍｏｄｕｌａｔｉｏｎ  ＆  Ｃｏｄｉｎｇ、以下、ＡＭＣと言う）方式を適用する。Ｓ−ＧＷ１３０はデータベアラーを提供する装置であり、ＭＭＥ１２５の制御に応じてデータベアラーを生成したり除去する。ＭＭＥは、端末に対する移動性管理機能はもちろん各種制御機能を担当する装置で複数の基地局と連結される。
【００１９】
図２は、  本発明の実施形態によるＬＴＥシステムで無線プロトコル構造を示した図面である。
【００２０】
図２を参照すれば、ＬＴＥシステムの無線プロトコルは端末とＥＮＢでそれぞれＰＤＣＰ（Ｐａｃｋｅｔ  Ｄａｔａ  Ｃｏｎｖｅｒｇｅｎｃｅ  Ｐｒｏｔｏｃｏｌ２０５、２４０）、ＲＬＣ（Ｒａｄｉｏ  Ｌｉｎｋ  Ｃｏｎｔｒｏｌ  ２１０、２３５）、ＭＡＣ（Ｍｅｄｉｕｍ  Ａｃｃｅｓｓ  Ｃｏｎｔｒｏｌ  ２１５、２３０）からなる。
【００２１】
ＰＤＣＰ（Ｐａｃｋｅｔ  Ｄａｔａ  Ｃｏｎｖｅｒｇｅｎｃｅ  Ｐｒｏｔｏｃｏｌ）（２０５、２４０）はＩＰヘッダー圧縮／復元などの作動を担当し、無線リンク制御（Ｒａｄｉｏ  Ｌｉｎｋ  Ｃｏｎｔｒｏｌ、以下、ＲＬＣと言う）（２１０、２３５）はＰＤＣＰ  ＰＤＵ（Ｐａｃｋｅｔ  Ｄａｔａ  Ｕｎｉｔ）を適切な大きさに再構成してＡＲＱ作動などを実行する。ＭＡＣ２１５、２３０は、一つの端末に構成された多くのＲＬＣ階層装置と連結され、ＲＬＣ  ＰＤＵをＭＡＣ  ＰＤＵに多重化してＭＡＣ  ＰＤＵからＲＬＣ  ＰＤＵを逆多重化する作動を実行する。物理階層２２０、２２５は上位階層データをチャンネルコーディング及び変調し、ＯＦＤＭシンボルで作って無線チャンネルへ送信したり、無線チャンネルを通じて受信したＯＦＤＭシンボルを復調してチャンネルデコーディングして上位階層へ伝達する作動をする。
【００２２】
また、物理階層でも追加的なエラー訂正のために、ＨＡＲＱ（Ｈｙｂｒｉｄ  ＡＲＱ）を使用しており、受信端では送信端から送信したパケットを受信するか否かを１ビットで送信する。これをＨＡＲＱ  ＡＣＫ／ＮＡＣＫ情報と言う。アップリンク送信に対するダウンリンクＨＡＲＱ  ＡＣＫ／ＮＡＣＫ情報はＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）物理チャンネルを通じて送信されてダウンリンク送信に対するアップリンクＨＡＲＱ  ＡＣＫ／ＮＡＣＫ情報は、ＰＵＣＣＨ（Ｐｈｙｓｉｃａｌ  Ｕｐｌｉｎｋ  Ｃｏｎｔｒｏｌ  Ｃｈａｎｎｅｌ）やＰＵＳＣＨ（Ｐｈｙｓｉｃａｌ  Ｕｐｌｉｎｋ  Ｓｈａｒｅｄ  Ｃｈａｎｎｅｌ）物理チャンネルを通じて送信されることができる。
【００２３】
図３は、  本発明の実施形態によるＬＴＥシステムでキャリアアグリゲーションを説明するための図面である。
【００２４】
図３を参照すれば、１つの基地局では一般的に多くの周波数帯域にかけてマルチキャリアアグリゲーションが送出されて受信される。例えば、基地局３０５で中心周波数がｆ１であるキャリア３１５と中心周波数がｆ３（３１０）であるキャリアが送出されるとき、従来には１つの端末が前記２つのキャリアのうちで１つのキャリアを用いてデータを送受信した。しかし、キャリアアグリゲーション能力を有している端末は同時に複数個のキャリアからデータを送受信することができる。基地局３０５は、キャリアアグリゲーション能力を有している端末３３０に対しては状況に応じてより多いキャリアを割り当てることによって前記端末３３０の送信速度を高めることができる。前記のように１つの基地局で送出されて受信されるダウンリンクキャリアとアップリンクキャリアを集約することをキャリアアグリゲーションと言う。
【００２５】
以下、本発明で頻繁に使用される用語に対して説明する。
【００２６】
伝統的な意味で１つの基地局で送出されて受信される１つのダウンリンクキャリアと１つのアップリンクキャリアが１つのセルを構成するとき、キャリアアグリゲーションとは、端末が同時に複数個のセルを通じてデータを送受信することに理解されてもよい。これを通じて最大送信速度は集約されるキャリアの数に比例して増加される。
【００２７】
以下、本発明を説明するにあたり端末が任意のダウンリンクキャリアを通じてデータを受信したり任意のアップリンクキャリアを通じてデータを送信すると言うことは前記キャリアを特徴づける中心周波数と周波数帯域に対応されるセルで提供する制御チャンネルとデータチャンネルを用いてデータを送受信することと同一意味を有する。また、以下、本発明の実施形態は説明の便宜のためにＬＴＥシステムを仮定して説明されるが、本発明はキャリアアグリゲーションをサポートする各種無線通信システムに適用されることができる。
【００２８】
一方、ＭＢＭＳサービスを受ける端末に放送サービスに対する情報（プログラム情報、編成時間など）を送信するために定義されたプロトコルがあり、これをユーザサービス記述  （Ｕｓｅｒ  Ｓｅｒｖｉｃｅ  Ｄｅｓｃｒｉｐｔｉｏｎ、以下、ＵＳＤと称する）と言う。前記のＵＳＤは、Ｈｙｐｅｒｔｅｘｔ  Ｔｒａｎｓｆｅｒ  Ｐｒｏｔｏｃｏｌ（以下、ＨＴＴＰと称する）などのような上位階層のプロトコルを使用して端末に送信され、前記のＵＳＤを通じて端末はどんな放送プログラムがいつするかなどの情報などが分かる。
【００２９】
図４は、本発明の実施形態による端末がＭＢＭＳサービスを受信する方法を示した図面である。
【００３０】
先ず、４１１段階で端末４０１は、基地局４０３に接続して端末４０１と基地局４０３は連結モード（Ｃｏｎｎｅｃｔｅｄ  ｍｏｄｅ）状態に進入する。連結モードで端末４０１は基地局４０３とデータを取り交わすことができる。その後、端末４０１は４１３段階で、サーバー４０５からユーザサービス記述（Ｕｓｅｒ  Ｓｅｒｖｉｃｅ  Ｄｅｓｃｒｉｐｔｉｏｎ、以下  ＵＳＤ）情報を受信する。
【００３１】
ＵＳＤ情報は、放送サービスに対する情報（プログラム情報、編成時間など）を送信するために拡張性生成言語（Ｅｘｔｅｎｓｉｂｌｅ  Ｍａｒｋｕｐ  Ｌａｎｇｕａｇｅ、以下、ＸＭＬ）に定義されたプロトコルであり、ＨＴＴＰ（Ｈｙｐｅｒｔｅｘｔ  Ｔｒａｎｓｆｅｒ  Ｐｒｏｔｏｃｏｌ）のような上位階層のプロトコルを使用して端末４０１に送信される。端末４０１はＵＳＤ情報を通じてどんな放送プログラムがある時間に提供されるのか、またどんな放送プログラムがある周波数帯域を通じて送信されるのかなどの情報などを分かる。
【００３２】
以下、説明の便宜のために、ユーザがセッション‘Ａ’と言う放送を受信しようとする場合を仮定し、ＵＳＤ情報にセッション‘Ａ’に対する情報が含まれていると仮定する。セッション‘Ａ’に対する情報はセッション‘Ａ’に対する時間情報が含まれることができる（例えば、セッション‘Ａ’は、午後３時−４時に放映）。
【００３３】
端末４０１は、ＵＳＤ情報受信の後、４１５段階で続いて連結モードを維持したり、或いはアイドルモード（Ｉｄｌｅ  ｍｏｄｅ）状態で遷移することができる。
【００３４】
一方、ＭＢＭＳサービスを提供する基地局のうち、同一サービスをする基地局の集まりを「マルチメディアブロードキャストマルチキャストサービスシングル周波数ネットワーク」  （Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ；以下、ＭＢＳＦＮ）領域（ＭＢＳＦＮ  Ａｒｅａ）と言い、１つのＭＢＳＦＮ領域に属した基地局はあらゆる同一内容のＭＢＳＦＮ関連リソース割り当て及びセッション情報などの内容を送信する。
【００３５】
端末４０１は、４１６段階で、受信したＵＳＤ情報内に含まれた特定セッション（本実施形態ではセッション‘Ａ’）に対する時間情報に基づいて、その特定セッションが開始されるか否かを判定し、受信しようとするセッションが開始されたと判定する場合、ＭＢＭＳサービスを受信する。このとき、端末４０１は受信しようとするセッションがサービスされる基地局でセル再選択ができる。
【００３６】
即ち、本発明の実施形態によれば、端末４０１はＵＳＤ情報に含まれた時間情報に基づいて午後３時となる時、セッション‘Ａ’が開始されたと判定し、ＭＢＭＳサービス受信を開始することができる。このとき、ＭＢＭＳセッションが受信されない場合、端末４０１はＭＢＭＳセッションの時間情報に基づいて前記ＭＢＭＳセッションが進行中なのか否かを判定し、ＭＢＭＳセッションが進行中なのか否かを判定し、ＭＢＭＳセッションが進行中の場合、ＭＢＭＳセッションの周波数情報に基づいてＭＢＭＳセッションを提供する基地局をセル再選択対象の基地局として選択し、ＭＢＭＳセッションをサービスする基地局からＭＢＭＳセッションを受信することができる。
【００３７】
ＭＢＭＳセッションの受信過程は次の通りである。ＭＢＭＳシングル周波数ネットワーク（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ、以下  、ＭＢＳＦＮ）  サブフレームを指示するインジケーターを含むシステム情報ブロックメッセージ（Ｓｙｓｔｅｍ  Ｉｎｆｏｒｍａｔｉｏｎ  Ｂｌｏｃｋ、以下、ＳＩＢ）を受信し、ＭＢＳＦＮデータ送信のために利用されるサブフレームの位置を指示するインジケーターと現在サービスのうちのセッション情報を含むマルチキャスト制御チャンネル（Ｍｕｌｔｉｃａｓｔ  Ｃｏｎｔｒｏｌ  Ｃｈａｎｎｅｌ、以下、ＭＣＣＨ）が送信されるリソース割り当て位置情報を含むＳＩＢを受信し、二番目の受信したＳＩＢに基づいて前記ＭＣＣＨを受信し、ＭＣＣＨに基づいてＭＢＳＦＮデータを受信することができる。
【００３８】
より具体的に、４１７段階で端末４０１は基地局４０３からシステム情報ブロック２番（ＳＩＢ２）メッセージを受信する。ＳＩＢ２に含まれたＭＢＳＦＮ−ＳｕｂｆｒａｍｅＣｏｎｆｉｇＬｉｓｔ  ＩＥはＭＢＳＦＮ送信目的のために使用されることができるサブフレームを指示する。ＭＢＳＦＮ−ＳｕｂｆｒａｍｅＣｏｎｆｉｇＬｉｓｔ  ＩＥにはＭＢＳＦＮ−ＳｕｂｆｒａｍｅＣｏｎｆｉｇ  ＩＥが含まれて、これはあるラジオフレーム（Ｒａｄｉｏ  ｆｒａｍｅ）のあるサブフレーム（ｓｕｂｆｒａｍｅ）がＭＢＳＦＮサブフレームになることができるかどうかを指示する。ＭＢＳＦＮ−ＳｕｂｆｒａｍｅＣｏｎｆｉｇ  ＩＥにはあるラジオフレームがＭＢＳＦＮ関連されたフレームが指示するために、ｒａｄｉｏ  ＦｒａｍｅＡｌｌｏｃａｔｉｏｎＰｅｒｉｏｄとｒａｄｉｏＦｒａｍｅＡｌｌｏｃａｔｉｏｎＯｆｆｓｅｔパラメーターが含まれて、以下の数１を満足するラジオフレームでＭＢＳＦＮサービスが提供される。
【００３９】
【数１】
2014524704.tif 000003
【００４０】
ＳＦＮは、ラジオフレームナンバーを指示するシステムフレームナンバー（Ｓｙｓｔｅｍ  ｆｒａｍｅ  ｎｕｍｂｅｒ）で０から１０２３の範囲を有しながら繰り返す。
【００４１】
ひいては、ＭＢＳＦＮ−ＳｕｂｆｒａｍｅＣｏｎｆｉｇ  ＩＥにはあるサブフレームがＭＢＳＦＮ関連されたフレームなのか指示するため、ｓｕｂｆｒａｍｅＡｌｌｏｃａｔｉｏｎパラメーターが含まれて、数１によって指示されたラジオフレーム内で、あるサブフレームがＭＢＳＦＮサブフレームなのかをビットマップ形態で指示する。
【００４２】
より詳細に説明すれば、ＭＢＳＦＮサブフレームを指示する場合、１つのラジオフレーム単位または４つのラジオフレーム単位で指示することができる。１つのラジオフレーム単位を利用する場合、ｏｎｅＦｒａｍｅＩＥに指示される。ＭＢＳＦＮサブフレームは１つのラジオフレーム内の総１０個のサブフレーム中で、１、２、３、６、７、８番目サブフレーム中に存在することができる。従って、ｏｎｅＦｒａｍｅ  ＩＥは６ビットを利用して前記羅列されたサブフレーム中でＭＢＳＦＮサブフレームを指示する。４つのラジオフレーム単位を利用する場合、ｆｏｕｒＦｒａｍｅｓ  ＩＥに指示される。４つのラジオフレームをカバーするために総２４ビットを利用し、ラジオフレームごとに前記羅列されたサブフレーム中でＭＢＳＦＮサブフレームを指示する。従って、端末４０１はＭＢＳＦＮ−ＳｕｂｆｒａｍｅＣｏｎｆｉｇＬｉｓｔ  ＩＥを利用して正確にＭＢＳＦＮサブフレームになることができるサブフレームを分かる。
【００４３】
端末４０１がＭＢＳＦＮを受信しようとする場合、端末４０１は４１９段階で、基地局４０３からＳＩＢ１３番を追加に受信する。ＳＩＢ１３のＭＢＳＦＮ−ＡｒｅａＩｎｆｏＬｉｓｔ  ＩＥにはセルが提供しているＭＢＳＦＮ領域別のマルチキャスト制御チャンネル（ＭｕｌｔｉｃａｓｔＣｏｎｔｒｏｌ  Ｃｈａｎｎｅｌ、以下、ＭＣＣＨ）が送信されるリソース割り当て位置情報が含まれる。端末４０１は、４２１段階で、リソース割り当て位置情報を利用してＭＣＣＨを受信する。
【００４４】
ＭＣＣＨのＭＢＳＦＮＡｒｅａＣｏｎｆｉｇｕｒａｔｉｏｎ  ＩＥにはＭＢＳＦＮ領域でＭＢＳＦＮデータ送信のために利用されるサブフレーム位置を指示するインジケーターが含まれ、現在サービスをしているセッションに対する情報を通知する。端末４０１はこのような情報を利用し、特定ＭＢＳＦＮサブフレームを受信することができる。また、端末４０１は望むセッション‘Ａ’が受信されない場合、直ぐセル再選択を実行するのではなく、４１３段階を通じて受信したＵＳＤ情報に基づいてセッションが進行中の場合（開始時間以後であり、終了時間以前の場合）、ＵＳＤ情報内の周波数情報を使用してセル再選択を実行する。
【００４５】
ＭＣＣＨのＭＢＳＦＮＡｒｅａＣｏｎｆｉｇｕｒａｔｉｏｎ  ＩＥに含まれた情報に基づいて特定ＭＢＳＦＮサブフレームを受信した端末４０１は、ＭＢＳＦＮサブフレームに含まれたＭＣＨ  ｓｃｈｅｄｕｌｉｎｇ  ｉｎｆｏｒｍａｔｉｏｎ  ＭＡＣ  Ｃｏｎｔｒｏｌ  Ｅｌｅｍｅｎｔと言う制御メッセージを受信し、望むデータが送信される実際ＭＢＳＦＮ  サブフレームの位置を獲得し、望むデータを受信することができる。
【００４６】
このような過程を通じて端末４０１は、ＭＢＳＦＮデータ（４４１）（４４３）（４４５）を受信することができる。即ち、本発明の実施形態によれば、望むセッション‘Ａ’を受信するためにＭＢＳＦＮＡｒｅａＣｏｎｆｉｇｕｒａｔｉｏｎ情報が含まれたＭＣＣＨを受信し、現在セッション‘Ａ’が実際にサービスされるのか継続的に確認する必要無し、４１３段階で受信したＵＳＤ情報に基づいて望む時点にサービスを受信することができると言う長所がある。
【００４７】
図５は、本発明の実施形態による端末がＭＢＭＳサービスを受信する作動を示すフローチャートである。
【００４８】
先ず、５０１段階で端末は、連結モードでＵＳＤ情報を受信する。ＵＳＤ情報は図４で前述したように放送サービスに対する情報（プログラム情報、編成時間など）などを含む。端末はＵＳＤ情報に基づいて受信しようとするサービスの開始時間及び終了時間と当該サービスが送信される周波数情報などを分かる。
【００４９】
以後、端末は５０３段階へ進行してＵＳＤ情報に基づいて受信しようとするサービスの開始時間になるのか否かを判定する。５０３段階で端末がＭＢＭＳセッションが開始されたと判定する場合、端末は５０５段階へ進行して別途のＭＢＳＦＮ関連情報を追加受信しなくても、開始時間に合わせて受信しようとするセッションを受信する。この時、端末は受信したＵＳＤ情報に含まれた周波数情報などに基づいてＭＢＭＳがサービスされる周波数を使用する基地局でセル再選択過程を実行することができ、一連の方法を経てＭＢＭＳサービスを受信することができる。
【００５０】
図６は、本発明の他の実施形態によって端末がＭＢＭＳサービスが受信されるために周波数を選択する方法を示した図面である。
【００５１】
図６では理解のためにＭＢＭＳサービスを受信する端末（６０１）（６０３）のうちの１つのキャリアのみを受信することができる端末６０１と同時に複数個のキャリアを受信することができる端末６０３に対する説明を分けて説明する。同時に複数個のキャリアを受信することができる端末はキャリア集約をサポートする端末となることができる。
【００５２】
先ず、１つのキャリアのみを受信することができる端末６０１に対して説明する。端末６０１は、６２１段階で基地局１（６０５）に接続して連結モード（Ｃｏｎｎｅｃｔｅｄ  ｍｏｄｅ）状態に進入する。連結モードで端末６０１は、基地局６０５とデータを取り交わすことができる。６２３段階で、端末６０１は連結モード状態でサーバー６１３からＵＳＤ情報を受信する。
【００５３】
ＵＳＤ情報は、前述したように、放送サービスに対する情報（プログラム情報、編成時間など）を送信するためにＸＭＬに定義されたプロトコルであり、ＨＴＴＰなどのような上位階層のプロトコルを用いて端末６０１に送信される。端末６０１は、ＵＳＤを通じてどんな放送プログラムがいつサービスされるのか、ある周波数でサービスされるのかなどの情報などを分かる。
【００５４】
以下、説明の便宜のために、ユーザがセッション‘Ｂ’と言う放送を受信しようとする場合を仮定し、ＵＳＤ情報にセッション‘Ｂ’に対する情報が含まれていると仮定する。
【００５５】
セッション‘Ｂ’に対する情報はセッション‘Ｂ’に対する周波数情報が含まれることができる（例えば、セッション‘Ｂ’は周波数ｆ２でサービスされる）。このような、周波数情報はＥ−ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ（ＥＡＲＦＣＮ）に表現されて端末に実際サービスされる周波数の正確な情報を通知する。
【００５６】
端末６０１は、６２５段階からアイドルモードに進入する。アイドルモードの端末はセル間の移動の時のセル再選択方法によって留まるキャンピング（ｃａｍｐｉｎｇ）基地局を選択する。本発明で端末６０１はサービング周波数ｆ１にあり、隣接周波数でｆ２、ｆ３、ｆ４があり、関心ＭＢＭＳセッションが特定周波数ｆ２で提供される場合を仮定する。
【００５７】
端末６０１は、６２７段階でＵＳＤ情報に基づいて受信しようとするセッションがｆ２を通じてサービスされると言う事実を予め分かっているので、セッションが開始される時点にｆ２を最も高い優先順位で設定してセル再選択を実行する。また、端末６０１はＵＳＤ情報に基づいて、受信しようとするセッション‘Ｂ’の放送時間６２９を認知することができる。即ち、ＭＢＳＦＮ  ｆ２を通じてＭＢＭＳサービスを受信している、或いは受信しようとする端末６０１が、ただ前記ＭＢＳＦＮを通じてＭＢＭＳサービスを受けることができる場合、該周波数を最も高い優先順位としてＭＢＭＳサービスを続いて受けることができるようにする。端末６０１はｆ２でセルを再選択して基地局２からＭＢＭＳサービス６３１、６３３を受信することができる。
【００５８】
次いで、同時に複数個のキャリアを受信することができる端末６０３に対して説明する。  端末６０３は、６４１段階で基地局１（６０５）に接続して連結モード（Ｃｏｎｎｅｃｔｅｄ  ｍｏｄｅ）状態に進入する。連結モードで端末６０３は基地局６０５とデータを取り交わすことができる。６４３段階で、端末６０３は連結モード状態でサーバー６１３からＵＳＤ情報を受信する。
【００５９】
端末６０３は、６４５段階でアイドルモードに進入をする。アイドルモードの端末はセル間の移動の時のセル再選択方法によって留まるキャンピング（ｃａｍｐｉｎｇ）基地局を選択する。
【００６０】
端末６０３は６４７段階でＵＳＤ情報に基づいて、受信しようとするセッションがｆ２を通じてサービスされると言う事実を予め分かっているので、現在キャンピングしているｆ１周波数帯域で追加でｆ２周波数を受信することができるかどうかを判定する。端末６０３がｆ１周波数とｆ２周波数を同時に受信することができると判定される場合、既存のセル再選択する方法をそのまま用いてセル再選択を実行する。即ち、セッションが開始される時点にｆ２を最も高い優先順位で設定してセル再選択を実行する。端末６０３はＵＳＤ情報に基づいて、受信しようとするセッション’Ｂ’の放送時間６４９を認知することができる。
【００６１】
図６を参照すれば、図６では端末６０３がｆ１にキャンピングしている場合にｆ２を同時に受信することができる場合を仮定した。この場合、端末６０３はｆ１にキャンピングしているので、６５１段階で基地局１（６０５）から新しいダウンリンクデータがあるのか確認するために周期的にページングメッセージを受信する。また、端末６０３は同時に複数個のキャリアを受信することができる能力があるので、６４３段階で受信したＵＳＤ情報内に周波数情報（ここではｆ２周波数）を活用して周辺のセルから望むＭＢＭＳサービスを受信することができる（６５３）（６５５）。
【００６２】
ひいては、複数個の周波数を同時に受信することができる端末６０３が位置を移動して追加でセル再選択をする場合を仮定する。端末６０３がセル再選択が必要な場合、以前の場合と同様に端末はｆ２と異なる周波数を同時に受信することができるのか否かを判定する。本実施形態ではｆ２以外に他の基地局からは同時に受信ができないと判定した場合を例える。この時、端末はｆ２を最も高い優先順位で設定してセル再選択を実行する。即ち、端末６０３は６５７段階で基地局２（６０７）にキャンピングする。それによって端末６０３は６５９段階で、基地局２（６０７）から新しいダウンリンクデータがあるのか確認するために周期的にページングメッセージを受信し、ＭＢＭＳサービスも基地局２（６０７）から受信することができる（６６１）（６６３）。
【００６３】
図７は、本発明の他の実施形態によって端末がＭＢＭＳサービスが受信されるために周波数を選択する方法を示した図面である。
【００６４】
図７では理解のためにＭＢＭＳサービスを受ける端末（７０１）（７０３）のうちの１つのキャリアのみを受信することができる端末７０１と同時に複数個のキャリアを受信することができる端末７０３に対する説明を分けて説明する。同時に複数個のキャリアを受信することができる端末はキャリアアグリゲーションをサポートする端末となることができる。
【００６５】
先ず、１つのキャリアのみを受信することができる端末７０１に対して説明する。端末７０１は７２１段階で基地局１（６０５）に接続して連結モード（Ｃｏｎｎｅｃｔｅｄ  ｍｏｄｅ）状態に進入する。連結モードで端末７０１は、基地局７０５とデータを取り交わすことができる。７２３段階で、端末７０１は連結モード状態でサーバー７１３からＵＳＤ情報を受信する。
【００６６】
ＵＳＤ情報は前記説明したように、放送サービスに対する情報（プログラム情報、編成時間など）を送信するためにＸＭＬに定義されたプロトコルであり、ＨＴＴＰなどのような上位階層のプロトコルを用いて端末６０１に送信される。端末６０１はＵＳＤを通じてどんな放送プログラムがいつサービスされるのか、ある周波数でサービスされるのかなどの情報などを分かる。
【００６７】
以下、説明の便宜のために、ユーザがセッション‘Ｂ’と言う放送を受信しようとする場合を仮定し、ＵＳＤ情報にセッション‘Ｂ’に対する情報が含まれていると仮定する。セッション‘Ｂ’に対する情報はセッション‘Ｂ’に対する周波数情報が含まれることができる（例えば、セッション‘Ｂ’は周波数ｆ２、周波数ｆ３でサービスされる）。このような、周波数情報はＥ−ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ（ＥＡＲＦＣＮ）に表現されて端末に実際サービスされる周波数の正確な情報を通知する。
【００６８】
端末６０１は７２５段階からアイドルモードに進入する。アイドルモードの端末はセル間の移動の時のセル再選択方法によって留まるキャンピング（ｃａｍｐｉｎｇ）基地局を選択する。本発明で端末７０１はサービング周波数ｆ１にあり、隣接周波数でｆ２、ｆ３、ｆ４があり、関心ＭＢＭＳセッションが特定周波数ｆ２と周波数ｆ３で提供される場合を仮定する。
【００６９】
端末７０１は、７２７段階でＵＳＤ情報に基づいて、受信しようとするセッションがｆ２とｆ３を通じてサービスされると言う事実を予め分かっているので、端末７０１はセッションが開始される時点にｆ２とｆ３を同時にまたはｆ２周波数を、またはｆ３周波数を最も高い優先順位で設定してセル再選択を実行する。また、端末７０１はＵＳＤ情報に基づいて、受信しようとするセッション‘Ｂ’の放送時間７２９を認知することができる。即ち、ＭＢＳＦＮｆ２またはｆ３を通じてＭＢＭＳサービスを受信している、或いは受信しようとする端末７０１が、ただ前記ＭＢＳＦＮを通じてＭＢＭＳサービスを受けることができる場合、該周波数を最も高い優先順位としてＭＢＭＳサービスを継いて受けることができるようにする。図７で端末７０１はｆ２でセルを再選択して基地局２からＭＢＭＳサービス（７３１）（７３３）を受信することができる。
【００７０】
次いで、同時に複数個のキャリアを受信することができる端末７０３対して説明する。
【００７１】
端末７０３は、７４１段階で基地局１（７０５）に接続して連結モード（Ｃｏｎｎｅｃｔｅｄ  ｍｏｄｅ）  状態に進入する。連結モードで端末７０３は基地局７０５とデータを取り交わすことができる。７４３段階で、端末６０３は連結モード状態でサーバー７１３からＵＳＤ情報を受信する。
【００７２】
端末７０３は、７４５段階からアイドルモードに進入をする。アイドルモードの端末はセル間の移動の時のセル再選択方法によって留まるキャンピング（ｃａｍｐｉｎｇ）基地局を選択する。
【００７３】
本発明で端末７０３は、サービング周波数ｆ１にあり、隣接周波数でｆ２、ｆ３、ｆ４があり、関心ＭＢＭＳセッションが特定周波数ｆ２と周波数ｆ３で提供される場合を仮定する。
【００７４】
端末７０３は、７４７段階でＵＳＤ情報に基づいて、受信しようとするセッションがｆ２を通じてサービスされると言う事実を予め分かっているので、現在キャンピングしているｆ１周波数帯域で追加でｆ２周波数またはｆ３周波数を受信することができるかどうかを判定する。端末７０３がｆ１周波数とｆ２周波数またはｆ１周波数とｆ３周波数を同時に受信することができると判定される場合、既存のセル再選択する方法をそのまま用いてセル再選択を実行する。即ち、セッションが開始される時点にｆ２またはｆ３を最も高い優先順位で設定してセル再選択を実行する。端末７０３は、ＵＳＤ情報に基づいて、受信しようとするセッション’Ｂ’の放送時間７４９を認知することができる。
【００７５】
図７を参照すれば、図７では端末７０３がｆ１にキャンピングしている場合にｆ１周波数とｆ２周波数またはｆ１周波数とｆ３周波数を同時に受信することができる場合を仮定した。この場合、端末７０３はｆ１にキャンピングしているので、７５１段階で基地局１（７０５）から新しいダウンリンクデータがあるのか確認するために周期的にページングメッセージを受信する。また、端末７０３は、同時に複数個のキャリアを受信することができる能力があるので、７４３段階で受信したＵＳＤ情報内に周波数情報（ここではｆ２周波数とｆ３周波数）を活用して周辺のセルから望むＭＢＭＳサービスを受信することができる（７５３）（７５５）。図７では基地局２（７０７）からサービスを受けることで図示した。
【００７６】
ひいては、複数個の周波数を同時に受信することができる端末７０３が位置を移動して追加でセル再選択をする場合を仮定する。端末７０３がセル再選択が必要な場合、以前の場合と同様に端末はｆ２またはｆ３と異なる周波数を同時に受信することができるのか否かを判定する。本実施形態ではｆ２またはｆ３の以外に他の基地局からは同時に受信ができないと判定した場合を例える。この時、端末７０３は、ｆ２とｆ３を最も高い優先順位で設定してセル再選択を実行する。即ち、端末７０３は７５７段階で基地局２（７０７）または基地局３（７０９）にキャンピングする。それによって端末７０３は７５９段階で、基地局２（７０７）または基地局３（７０９）から新しいダウンリンクデータがあるのか確認するために周期的にページングメッセージを受信し、ＭＢＭＳサービスも基地局２（７０７）または基地局３（７０９）から受信することができる（７６１）（７６３）。図７では基地局２（７０７）からサービスを受けることで図示した。
【００７７】
図８は、本発明の実施形態による端末がＭＢＭＳサービスが受信されるために周波数を選択する作動を示すフローチャートである。
【００７８】
先ず、端末は８０１段階でアイドルモードに進入する。その後、端末は８０３段階で既存にサーバーなどから受信したＵＳＤ情報が記憶されているのか否かを確認する。ＵＳＤ  情報にはＭＢＭＳサービスが放送される周波数情報などが含まれることができる。端末が  ８０３段階で既存にサーバーなどから受信したＵＳＤ情報が記憶されていないと判定する場合、端末は８０７段階へ進行して既存セル再選択方法（移動同意の理由によりセル再選択が必要な時、新しい基地局を選択）をそのまま使用する。
【００７９】
端末が８０３段階で既存にサーバーなどから受信したＵＳＤ情報が記憶されていないと判定する場合、端末は８０５段階へ進行する。８０５段階で端末が１つのキャリアのみを受信することができる場合、８１１段階へ進行して端末が同時に複数個のキャリアを受信することができる場合、８１３段階へ進行する。８０５段階で端末が同時に複数個のキャリアを受信可能なのか判定する段階は端末が自ら判定することもでき、端末自体の特性であればよい。端末自体の特性の場合、８０５段階の判定する過程は、省略されて１つのキャリアのみを受信することができる端末はすぐ８１１段階へ進行し、同時に複数個のキャリアを受信することができる端末はすぐ８１３段階へ進行することもできる。
【００８０】
８１１段階で端末は、セル再選択時、記憶しているＵＳＤ情報に含まれた周波数で作動するセルのみをセル再選択対象の基地局として、その基地局のうちの一つを選択し、当該周波数でＭＢＭＳサービスを受信する。
【００８１】
８１３段階で端末は、セル再選択時、ＵＳＤ情報に基づいてＭＢＭＳサービスを提供する周波数と、それと異なる周波数を共に受信可能か否かを判定する。もし、他の周波数を共に受信可能であると判定する場合、端末は８０９段階へ進行し、既存のセル再選択方法（移動同意の理由によりセル再選択が必要な時、新しい基地局を選択）を使用してセル再選択をするが、複数個のキャリア受信が可能なので、記憶しているＵＳＤ情報に含まれた周波数帯域を追加に受信して、当該周波数でＭＢＭＳサービスを受信することができる。
【００８２】
８１３段階で端末が他の周波数を共に受信可能ではないと判定する場合（即ち、ＭＢＭＳサービスを受信することができる周波数以外に周波数に選択が不可能な場合）、端末は８１１  段階へ進行し、セル再選択のとき、記憶しているＵＳＤ情報に含まれた周波数で作動するセルのみをセル再選択対象の基地局とし、その基地局のうちの１つを選択し、当該周波数でＭＢＭＳサービスを受信する。
【００８３】
図９は本発明の実施形態による端末の内部構成を示すブロック図である。
【００８４】
図９を参照すれば、本発明の実施形態による端末は送受信部９０５、制御部９１０、記憶部９１５、マルチプレクサー及びデマルチプレクサー９２０、制御メッセージ処理部９３５及び上位階層処理部（９２５）（９３０）を含む。
【００８５】
送受信部９０５は、サービングセルのダウンリンクチャンネルでデータ及び所定の制御信号を受信してアップリンクチャンネルでデータ及び所定の制御信号を送信する。複数のサービングセルが設定された場合、送受信部９０５は前記複数のサービングセルを通じるデータ送受信及び制御信号送受信を実行する。
【００８６】
記憶部９１５は、端末の作動に必要なプログラム及びデータを記憶する役目を実行し、プログラム領域とデータ領域に区分されることができる。記憶部９１５は、揮発性（ｖｏｌａｔｉｌｅ）記憶媒体または非揮発性（ｎｏｎｖｏｌａｔｉｌｅ）記憶媒体から構成されることができ、両憶媒体の組合（ｃｏｍｂｉｎａｔｉｏｎ）から構成されることもできる。
【００８７】
揮発性記憶媒体としてはＲＡＭ、ＤＲＡＭ、ＳＲＡＭのような半導体メモリー（ｓｅｍｉｃｏｎｄｕｃｔｏｒ  ｍｅｍｏｒｙ）が含まれ、非揮発性記憶媒体としてはハードディスク（ｈａｒｄ  ｄｉｓｋ）が含まれる。本発明で記憶部９１５は受信したＵＳＤ情報を記憶することができる。
【００８８】
マルチプレクサー及びデマルチプレクサー９２０は、上位階層処理部（９２５）（９３０）や制御メッセージ処理部９３５で発生したデータを多重化したり送受信部９０５で受信されたデータを逆多重化して適切な上位階層処理部（９２５）（９３０）や制御メッセージ処理部（９３５）で伝達する役目をする。
【００８９】
上位階層処理部（９２５）（９３０）は、サービス別に構成されることができ、ＦＴＰ（Ｆｉｌｅ  Ｔｒａｎｓｆｅｒ  Ｐｒｏｔｏｃｏｌ）やＶｏＩＰ（Ｖｏｉｃｅ  ｏｖｅｒ  Ｉｎｔｅｒｎｅｔ  Ｐｒｏｔｏｃｏｌ）などのようなユーザサービスで発生するデータを処理してマルチプレクサー及びデマルチプレクサー９２０へ伝達したり前記マルチプレクサー及びデマルチプレクサー９２０から伝達したデータを処理して上位階層のサービスアプリケーションへ伝達する。
【００９０】
制御部９１０は、送受信部９０５を通じて受信されたスケジューリング命令、例えば、アップリンクグラントを確認して適切な時点に適切な送信リソースでアップリンク送信が実行されるように送受信部９０５とマルチプレクサーおよびデマルチプレクサー９２０を制御する。制御部はさらにＤＲＸ作動及びＣＳＩ／ＳＲＳ送信に係って送受信部を制御する。本発明で制御部９１０は前述した無線通信システムでマルチメディア放送サービスを受信過程全体を制御することができる。
【００９１】
図１０は、本発明の実施形態による基地局の内部構成を示したブロック図である。
【００９２】
図１０は、本発明の実施形態による基地局の構成を示したブロック図として、図１０の基地局装置は送受信部１００５、制御部１０１０、多重化及び逆マルチプレクサー１０２０、制御メッセージ処理部１０３５、各種上位階層処理部（１０２５）（１０３０）及びスケジューラー１０１５を含む。
【００９３】
送受信部１００５は、ダウンリンクキャリアでデータ及び所定の制御信号を送信してアップリンクキャリアでデータ及び所定の制御信号を受信する。複数のキャリアが設定された場合、送受信部１００５は前記複数のキャリアでデータ送受信及び制御信号送受信を実行する。
【００９４】
マルチプレクサー及びデマルチプレクサー１０２０は、上位階層処理部（１０２５）（１０３０）や制御メッセージ処理部１０３５で発生したデータを多重化したり送受信部１００５で受信されたデータを逆多重化して適切な上位階層処理部（１０２５）（１０３０）や制御メッセージ処理部１０３５、或いは制御部１０１０へ伝達する役目をする。制御メッセージ処理部１０３５は端末が送信した制御メッセージを処理して必要な作動を取ったり、端末に伝達する制御メッセージを生成して下位階層へ伝達する。
【００９５】
上位階層処理部（１０２５）（１０３０）は、端末別にサービス別に構成されることができ、ＦＴＰやＶｏＩＰなどのようなユーザサービスで発生するデータを処理してマルチプレクサー及びデマルチプレクサー１０２０へ伝達したりマルチプレクサー及びデマルチプレクサー１０２０から伝達したデータを処理して上位階層のサービスアプリケーションへ伝達する。
【００９６】
制御部１０１０は端末がいつＣＳＩ／ＳＲＳを送信するかを判定して送受信部を制御する。
【００９７】
スケジューラー１０１５は、端末のバッファー状態、チャンネル状態及び端末のＡｃｔｉｖｅ  Ｔｉｍｅなどを考慮して端末に適切な時点に送信資源を割り当てて、送受信部に端末が送信した信号を処理したり端末に信号を送信するように処理する。
【００９８】
提案する方法を利用すれば、端末はＭＢＭＳサービスが望むとき、受信することができ、スムーズにＭＢＭＳサービスを受けることができる。
【００９９】
本発明の詳細な説明では具体的な実施形態に関して説明したが、本発明の範囲から外れない限度内で様々な変形が可能であることは勿論である。よって、本発明の範囲は説明された実施形態に限らず、後述される特許請求の範囲だけではなくこの特許請求の範囲と均等なものなどによって決まるべきである。
【符号の説明】
【０１００】
１０５、１１０、１１５、１２０  次世代基地局
１３５  ユーザ端末
２０５、２４０  Ｐａｃｋｅｔ  Ｄａｔａ  Ｃｏｎｖｅｒｇｅｎｃｅ  Ｐｒｏｔｏｃｏｌ
２１０、２３５  無線リンク制御
２１５、２３０  Ｍｅｄｉｕｍ  Ａｃｃｅｓｓ  Ｃｏｎｔｒｏｌ
２２０、２２５  物理階層
３０５  基地局
３１５  キャリア
３３０  端末
【図１】
2014524704.tif 000004
【図２】
2014524704.tif 000005
【図３】
2014524704.tif 000006
【図４】
2014524704.tif 000007
【図５】
2014524704.tif 000008
【図６】
2014524704.tif 000009
【図７】
2014524704.tif 000010
【図８】
2014524704.tif 000011
【図９】
2014524704.tif 000012
【図１０】
2014524704.tif 000013
【国際調査報告】
2014524704.tif 000014
2014524704.tif 000015